(57)【要約】【課題】  画像の大きさを確認しながら画像を拡大したり縮小すると共に画像を迅速に所望のサイズにする。【解決手段】  リモコンの拡大ボタンが操作される毎に、フォーカスフレームにより選択された画像の横サイズＬｈを横拡大サイズΔｈだけ大きくすると共に画像の縦横比ρを用いて計算した縦拡大サイズΔｖを用いて縦サイズＬｖを大きくし（Ｓ１２０〜Ｓ１４０）、印刷範囲から画像がはみ出すときには、その中心位置を変更して（Ｓ１６０〜Ｓ１８０）、描画する（Ｓ２５０）。この結果、画像の大きさを確認しながら画像を拡大することができる。【選択図】        図４
2005251104.tif 000002
【特許請求の範囲】
【請求項１】
表示装置の表示画面に画像を表示するための表示用データを出力する表示用データ出力装置であって、
前記表示画面の表示領域に対応する表示用記憶領域を有し、該表示用記憶領域にデータを書き込むことにより前記表示領域の対応する位置に画像等の表示用データを出力する表示用データ出力手段と、
選択された画像を所定のサイズとして記憶する画像記憶手段と、
前記選択された画像が前記表示画面の表示領域の所定位置に所定の大きさとして表示されるよう前記画像記憶手段に記憶された画像を拡大または縮小して前記表示用データ出力手段における表示用記憶領域の前記所定位置に対応する領域に書き込むことにより前記選択された画像を表示する選択画像表示手段と、
前記選択され表示された画像の拡大または縮小の指示を入力する拡大縮小指示入力手段と、
該拡大縮小指示入力手段により前記選択され表示された画像の拡大または縮小の指示が入力されたとき、前記表示画面上に表示された画像より所定量だけ拡大または縮小した画像となるよう前記画像記憶手段に記憶された画像を拡大または縮小して前記表示用データ出力手段における表示用記憶領域の対応する領域に書き込むことにより前記選択され表示された画像を拡大または縮小して表示する拡大縮小画像表示手段と、
を備える表示用データ出力装置。
【請求項２】
前記拡大縮小画像表示手段は、前記所定量として前記表示画面の長手方向に対しては該表示画面の解像単位の整数倍の量を用いると共に前記表示画面の短手方向に対しては該長手方向の量に前記選択され表示された画像の縦横比を乗じて得られる量を用いて前記選択され表示された画像を拡大または縮小して表示する手段である請求項１記載の表示用データ出力装置。
【請求項３】
前記拡大縮小画像表示手段は、前記選択され表示された画像を画像の中心から四方に向けて拡大または縮小して表示する手段である請求項１または２記載の表示用データ出力装置。
【請求項４】
前記拡大縮小画像表示手段は、前記選択され表示された画像を所定量だけ拡大して表示しようとすると拡大された画像が前記表示領域をはみ出して表示されるときには、該表示領域からはみ出す分だけ画像の中心を変位させて該拡大した画像が該表示領域からはみ出さないように表示する手段である請求項３記載の表示用データ出力装置。
【請求項５】
前記拡大縮小画像表示手段は、前記拡大縮小指示入力手段に前記選択され表示された画像の拡大または縮小の指示が連続して所定時間に亘って入力されたときには、前記選択され表示された画像の拡大または縮小が単位時間当たりに所定回の割合で行なわれるよう前記選択され表示された画像を拡大または縮小して表示する手段である請求項１ないし４いずれか記載の表示用データ出力装置。
【請求項６】
請求項１ないし５いずれか記載の表示用データ出力装置であって、
前記選択画像表示手段は、前記選択された画像を画像枠を伴って表示する手段であり、
前記拡大縮小画像表示手段は、前記選択され表示された画像を画像枠を伴って拡大または縮小して表示する手段である
表示用データ出力装置。
【請求項７】
前記拡大縮小指示入力手段は、光信号に変換された操作者の操作に基づく拡大または縮小の指示を入力する受光部を備える手段である請求項１ないし６いずれか記載の表示用データ出力装置。
【請求項８】
請求項７記載の表示用データ出力装置であって、
操作者の操作に基づいて拡大または縮小の指示を含む操作信号を光信号に変換して送信する操作用信号送信機と、
前記表示用データ出力手段と前記画像記憶手段と前記選択画像表示手段と前記拡大縮小指示入力手段と前記拡大縮小画像表示手段とを備える本体と、
からなる表示用データ出力装置。
【請求項９】
画像を紙などの媒体に印刷する印刷装置であって、
請求項１ないし８いずれか記載の表示用データ出力装置と、
前記媒体に印刷する印刷領域を前記表示装置の前記表示領域として設定する表示領域設定手段と、
印刷指示がなされたとき、前記表示領域に表示された画像を前記媒体に印刷する印刷実行手段と、
を備える印刷装置。
【請求項１０】
外観が高さが２０ｃｍ以下で幅が６０ｃｍ以下で奥行きが６０ｃｍ以下の略箱形形状に形成されてなる請求項９記載の印刷装置。
【請求項１１】
側面の一方を正面とし、該正面から印刷用記録剤カートリッジを着脱することを特徴とする請求項９または１０記載の印刷装置。
【請求項１２】
側面の一方を正面とし、該正面から給排紙することを特徴とする請求項９ないし１１いずれか記載の印刷装置。
【請求項１３】
表示装置の表示画面の表示領域に対応する表示用記憶領域を有し該表示用記憶領域にデータを書き込むことにより前記表示領域の対応する位置に画像等の表示用データを出力する表示用データ出力手段とデータを記憶する記憶手段とを備える表示用データ出力装置の制御方法であって、
（ａ）選択された画像を所定のサイズとして記憶し、
（ｂ）前記選択された画像が前記表示画面の表示領域の所定位置に所定の大きさとして表示されるよう記憶した画像を拡大または縮小して前記表示用記憶領域の前記所定位置に対応する領域に書き込むことにより前記選択された画像を表示し、
（ｃ）前記選択され表示された画像の拡大または縮小の指示を入力したとき、前記表示画面上に表示された画像より所定量だけ拡大または縮小した画像となるよう前記記憶した画像を拡大または縮小して前記表示用記憶領域の対応する領域に書き込むことにより前記選択され表示された画像を拡大または縮小して表示する
表示用データ出力装置の制御方法。
【発明の詳細な説明】
【技術分野】
【０００１】
本発明は、表示用データ出力装置およびこれを備える印刷装置並びに表示用データ出力装置の制御方法に関し、詳しくは、表示装置の表示画面に画像を表示するための表示用データを出力する表示用データ出力装置およびこれを備える印刷装置並びに表示用データ出力装置の制御方法に関する。
【背景技術】
【０００２】
従来、この種の印刷装置としては、ストレージから読み込んだ画像を家庭用のテレビ画面に表示して拡大縮小などの編集を施した後に印刷するものが提案されている（例えば、非特許文献１参照）。この装置では、テレビ画面に表示される領域を印刷領域としてストレージから画像を読み込んで割り付け、画像の配置を変更したり、画像を拡大または縮小したり、画像を回転させたり、文字を入力したりするなどの編集を施して印刷することができる。
【０００３】
【非特許文献１】松下電器産業株式会社、「Ｐａｎａｓｏｎｉｃ  ホームフォトプリンターＳＶ−ＡＰ１０」、［平成１５年１１月２２日検索］、インターネット＜URL:http://prodb.matsushita.co.jp/products/panasonic/SV/SV-AP10.html＞，＜URL:http://prodb.matsushita.co.jp/products/panasonic/SV/SV-AP10_s.html＞
【発明の開示】
【発明が解決しようとする課題】
【０００４】
しかしながら、上述の印刷装置などでは、比較的大きな拡大率や小さな縮小率により拡大や縮小が行なわれることが多いため、画像が大きくなりすぎたり小さくなりすぎてしまい、画像を所望のサイズに迅速に拡大したり縮小することが困難な場合があった。これに対して拡大率や縮小率を入力することにより画像を拡大したり縮小するものもあるが、この場合、画像の大きさを確認しながら拡大したり縮小することはできない。
【０００５】
本発明の表示用データ出力装置およびこれを備える印刷装置並びに表示用データ出力装置の制御方法は、画像の大きさを確認しながら画像を拡大したり縮小することを目的の一つとする。また、本発明の表示用データ出力装置およびこれを備える印刷装置並びに表示用データ出力装置の制御方法は、画像を迅速に所望のサイズにすることを目的の一つとする。
【課題を解決するための手段】
【０００６】
本発明の表示用データ出力装置およびこれを備える印刷装置並びに表示用データ出力装置の制御方法は、上述の目的の少なくとも一部を達成するために以下の手段を採った。
【０００７】
本発明の表示用データ出力装置は、
表示装置の表示画面に画像を表示するための表示用データを出力する表示用データ出力装置であって、
前記表示画面の表示領域に対応する表示用記憶領域を有し、該表示用記憶領域にデータを書き込むことにより前記表示領域の対応する位置に画像等の表示用データを出力する表示用データ出力手段と、
選択された画像を所定のサイズとして記憶する画像記憶手段と、
前記選択された画像が前記表示画面の表示領域の所定位置に所定の大きさとして表示されるよう前記画像記憶手段に記憶された画像を拡大または縮小して前記表示用データ出力手段における表示用記憶領域の前記所定位置に対応する領域に書き込むことにより前記選択された画像を表示する選択画像表示手段と、
前記選択され表示された画像の拡大または縮小の指示を入力する拡大縮小指示入力手段と、
該拡大縮小指示入力手段により前記選択され表示された画像の拡大または縮小の指示が入力されたとき、前記表示画面上に表示された画像より所定量だけ拡大または縮小した画像となるよう前記画像記憶手段に記憶された画像を拡大または縮小して前記表示用データ出力手段における表示用記憶領域の対応する領域に書き込むことにより前記選択され表示された画像を拡大または縮小して表示する拡大縮小画像表示手段と、
を備えることを要旨とする。
【０００８】
この本発明の表示用データ出力装置では、選択され表示された画像の拡大または縮小の指示が入力されたときには、表示画面上に表示された画像より所定量だけ拡大または縮小した画像となるよう記憶している画像を拡大または縮小して表示用記憶領域の対応する領域に書き込むことにより選択され表示された画像を拡大または縮小して表示する。したがって、拡大や縮小の指示を繰り返すことにより、所定量だけ拡大した画像や所定量だけ縮小した画像を順次表示することができる。この結果、画像の大きさを確認しながら画像を拡大したり縮小することができると共に画像を迅速に所望のサイズにすることができる。
【０００９】
こうした本発明の表示用データ出力装置において、前記拡大縮小画像表示手段は、前記所定量として前記表示画面の長手方向に対しては該表示画面の解像単位の整数倍の量を用いると共に前記表示画面の短手方向に対しては該長手方向の量に前記選択され表示された画像の縦横比を乗じて得られる量を用いて前記選択され表示された画像を拡大または縮小して表示する手段であるものとすることもできる。こうすれば、表示画面の長手方向に対しては表示画面の解像単位の整数倍の量だけ拡大または縮小すると共に表示画面の短手方向に対しては画像の縦横比を乗じて得られる量だけ拡大または縮小した画像を表示することができる。
【００１０】
また、本発明の表示用データ出力装置において、前記拡大縮小画像表示手段は、前記選択され表示された画像を画像の中心から四方に向けて拡大または縮小して表示する手段であるものとすることもできる。こうすれば、画像の中心の変位なしに画像を拡大したり縮小して表示することができる。この態様の本発明の表示用データ出力装置において、前記拡大縮小画像表示手段は、前記選択され表示された画像を所定量だけ拡大して表示しようとすると拡大された画像が前記表示領域をはみ出して表示されるときには、該表示領域からはみ出す分だけ画像の中心を変位させて該拡大した画像が該表示領域からはみ出さないように表示する手段であるものとすることもできる。こうすれば、画像が表示領域からはみ出すことによりその一部が表示されないことを抑止することができる。即ち、画像が表示領域からはみ出すときでも画像全体を表示することができるのである。
【００１１】
さらに、本発明の表示用データ出力装置において、前記拡大縮小画像表示手段は、前記拡大縮小指示入力手段に前記選択され表示された画像の拡大または縮小の指示が連続して所定時間に亘って入力されたときには、前記選択され表示された画像の拡大または縮小が単位時間当たり所定回の割合で行なわれるよう前記選択され表示された画像を拡大または縮小して表示する手段であるものとすることもできる。こうすれば、単位時間当たり所定回の割合で連続して画像を拡大したり縮小して表示することができる。ここで、拡大したり縮小する所定量と単位時間当たりの拡大または縮小回数を適当に設定すれば、拡大する速度や縮小する速度を適正なものに設定することができる。これにより、画像を迅速に拡大または縮小して所望のサイズにして表示することができる。
【００１２】
あるいは、本発明の表示用データ出力装置において、前記選択画像表示手段は前記選択された画像を画像枠を伴って表示する手段であり、前記拡大縮小画像表示手段は前記選択され表示された画像を画像枠を伴って拡大または縮小して表示する手段であるものとすることもできる。こうすれば、対象となっている画像の特定を容易なものとすることができる。
【００１３】
本発明の表示用データ出力装置において、前記拡大縮小指示入力手段は、光信号に変換された操作者の操作に基づく拡大または縮小の指示を入力する受光部を備える手段であるものとすることもできる。この場合、表示用データ出力装置は、操作者の操作に基づいて拡大または縮小の指示を含む操作信号を光信号に変換して送信する操作用信号送信機と、前記表示用データ出力手段と前記画像記憶手段と前記選択画像表示手段と前記拡大縮小指示入力手段と前記拡大縮小画像表示手段とを備える本体と、からなるものとすることもできる。こすうれば、操作用信号送信機による遠隔操作で画像を拡大したり縮小して表示することができる。
【００１４】
本発明の印刷装置は、
画像を紙などの媒体に印刷する印刷装置であって、
上述のいずれかの態様の本発明の表示用データ出力装置と、
前記媒体に印刷する印刷領域を前記表示装置の前記表示領域として設定する表示領域設定手段と、
印刷指示がなされたとき、前記表示領域に表示された画像を前記媒体に印刷する印刷実行手段と、
を備えることを要旨とする。
【００１５】
この本発明の印刷装置では、上述のいずれかの態様の本発明の表示用データ出力装置を備えるから、本発明の表示用データ出力装置が奏する効果、例えば、拡大や縮小の指示を繰り返すことにより所定量だけ拡大した画像や所定量だけ縮小した画像を順次表示することができる効果や画像の大きさを確認しながら画像を拡大したり縮小することができる効果，画像を迅速に所望のサイズにすることができる効果などと同様な効果を奏することができる。そして、これに加えて、印刷しようとする画像を容易に迅速にレイアウトすることができ、迅速に印刷することができる。
【００１６】
こうした本発明の印刷装置において、外観が高さが２０ｃｍ以下で幅が６０ｃｍ以下で奥行きが６０ｃｍ以下の略箱形形状に形成されてなるものとすることもできるし、側面の一方を正面とし該正面から印刷用記録剤カートリッジを着脱することを特徴とするものとすることもできる。また、側面の一方を正面とし該正面から給排紙することを特徴とするものとすることもできる。
【００１７】
本発明の表示用データ出力装置の制御方法は、
表示装置の表示画面の表示領域に対応する表示用記憶領域を有し該表示用記憶領域にデータを書き込むことにより前記表示領域の対応する位置に画像等の表示用データを出力する表示用データ出力手段とデータを記憶する記憶手段とを備える表示用データ出力装置の制御方法であって、
（ａ）選択された画像を所定のサイズとして記憶し、
（ｂ）前記選択された画像が前記表示画面の表示領域の所定位置に所定の大きさとして表示されるよう記憶した画像を拡大または縮小して前記表示用記憶領域の前記所定位置に対応する領域に書き込むことにより前記選択された画像を表示し、
（ｃ）前記選択され表示された画像の拡大または縮小の指示を入力したとき、前記表示画面上に表示された画像より所定量だけ拡大または縮小した画像となるよう前記記憶した画像を拡大または縮小して前記表示用記憶領域の対応する領域に書き込むことにより前記選択され表示された画像を拡大または縮小して表示する
ことを要旨とする。
【００１８】
この本発明の表示用データ出力装置の制御方法では、選択され表示された画像の拡大または縮小の指示が入力されたときには、表示画面上に表示された画像より所定量だけ拡大または縮小した画像となるよう記憶している画像を拡大または縮小して表示用記憶領域の対応する領域に書き込むことにより選択され表示された画像を拡大または縮小して表示する。したがって、拡大や縮小の指示を繰り返すことにより、所定量だけ拡大した画像や所定量だけ縮小した画像を順次表示することができる。この結果、画像の大きさを確認しながら画像を拡大したり縮小することができると共に画像を迅速に所望のサイズにすることができる。
【発明を実施するための最良の形態】
【００１９】
次に、本発明を実施するための最良の形態を実施例を用いて説明する。
【実施例】
【００２０】
図１は本発明の一実施例としての印刷装置２０を備える印刷システム１０の構成の概略を示す構成図であり、図２は実施例の印刷装置２０のメイン基板３０を中心に印刷システム１０を機能ブロックとして示すブロック図である。実施例の印刷装置２０は、図１に示すように、ケーブル１４を介して接続されたテレビ受像器１２とにより印刷システム１０を構成しており、印刷装置本体２２と、印刷装置本体２２を遠隔操作するための発光部９２を備えるリモートコントロールユニット（以下、リモコンと称す）９０とから構成されている。印刷装置本体２２は、高さが５〜２０ｃｍで幅が２２ｃｍ〜６０ｃｍで奥行きが１０〜６０ｃｍ（実施例では高さ１２ｃｍ、幅４５ｃｍ、奥行き４５ｃｍ）の箱形とし、側面の一方が正面２３となるよう構成されており、この正面２３には、給排紙やインクカートリッジの着脱を正面から行なうための開口部が設けられカバー２４が取り付けられている。また、正面２３の左部には、リモコン９０から送信された光信号（赤外線光信号）を受信するための受光部２６を備える操作パネル２５が設けられており、その下部にはコンパクトフラッシュやＳＤ（Secure Digital）メモリカード，スマートメディアなどのＰＣカード１５を装着するカードスロット２７が設けられている。
【００２１】
実施例の印刷装置２０のメイン基板３０は、図２に示すように、印刷装置２０全体を制御するメイン制御ユニット３２を中心として構成されており、処理プログラムを記憶するＲＯＭ３４、処理に必要なデータを一時的に記憶するＳＤＲＡＭ３６、操作パネル２５からの操作信号や受光部２６で受光した光信号を解析してコード化すると共にカードスロット２７に装着されたＰＣカード１５との入出力を制御するカード操作部制御ユニット３８、ＶＲＡＭ４２への書き込みを用いてテレビ受像器１２への表示出力を制御するビデオチップ４０、印刷ヘッド６３を動かすキャリッジモータ６０や紙送り用のＰＦモータ６１，ポンプモータ６２などを駆動するモータドライバ４４，印刷ヘッド６３の駆動用波形を生成するヘッド用ＤＡＣ４６，デジタルスチルカメラやＣＤ−Ｒなどの周辺機器１７と接続するためのホスト用ＵＳＢコネクタ４８，コンピュータ（ＰＣ）１６などと接続するためのデバイス用ＵＳＢコネクタ５０，キャリッジの位置を検出するＣＲエンコーダ６４や紙送りの位置を検出するＰＦエンコーダ６５，ＤＶＤトレーにおけるＤＶＤの有無を検出するＤＶＤトレー検出センサ６６，紙送り機構における用紙の有無を検出する用紙検出センサ６７，用紙トレーにおける用紙の有無を検出する用紙トレー検出センサ６８，カバー２４が開いているのを検出するカバーオープンセンサ６９などの各種センサの接続コネクタ、電源１９への接続コネクタが設けられている。これらの各ユニットやコネクタは、バスや信号ラインによりメイン制御ユニット３２に接続されている。
【００２２】
メイン制御ユニット３２は、カード操作部制御ユニット３８を介してＰＣカード１５から入力した画像ファイルやホスト用ＵＳＢコネクタ４８を介して周辺機器１７から入力した画像ファイルをファイルの形式に応じて展開すると共にレイアウト処理を行なって印刷イメージを作成し、これをＣＭＹＫへの色変換や２値化などの処理を行なって印刷ヘッド６３により印刷可能なデータとして印刷を実行したり、デバイス用ＵＳＢコネクタ５０を介してＰＣ１６から入力したプリンタ制御用のコマンドと印刷データに基づいて印刷を実行する。また、メイン制御ユニット３２は、こうした印刷の実行処理だけでなく、画像ファイルの入出力やレイアウトの設定，印刷条件の設定など各種操作をテレビ受像器１２への表示と受光部２６や操作パネル２５からの入力とによって行なう際の処理も実行する。
【００２３】
リモコン９０は、図２に示すように、ボタン操作に対応した光信号を調整して発光部９２から発光する発光制御部９１を備えている。リモコン９０は、図３の外観図に示すように、略長方形の形状をしており、その図中上部側面に発光部９２が取り付けられている。リモコン９０には、発光部９２近傍から、電源ボタン９３ａや画像の拡大や縮小を行なう拡大ボタン９３ｂおよび縮小ボタン９３ｃ，メニューを表示するメニューボタン９３ｄ，処理や画面を直前に戻す戻るボタン９３ｅ，処理を決定したり画像を選択するＯＫボタン９３ｆ，フォーカスフレームを左右や上下に移動させる左ボタン９３ｇ，右ボタン９３ｈ，上ボタン９３ｉ，下ボタン９３ｊ，処理を戻したり進めたりする処理戻しボタン９３ｋおよび処理進めボタン９３ｌ，印刷枚数を増減する枚数増加ボタン９３ｍおよび枚数減少ボタン９３ｎ，印刷を開始する印刷開始ボタン９３ｏ，印刷を中止する印刷中止ボタン９３ｐ，その他の処理に用いられるボタン９３ｑ〜９３ｔなどのボタン群が配置されている。こうして構成されたリモコン９０のボタンが操作者により操作されると、リモコン９０の発光制御部９１により、ボタンに応じた信号に装置を識別する信号を付した光信号に調整して発光部９２から発光する。この光信号を受光部２６で受光すると、カード操作部制御ユニット３８は、上述したように、光信号を解析してコード化してメイン制御ユニット３２に渡す。メイン制御ユニット３２は受け取ったコードに基づいて各処理を実行する。
【００２４】
次に、こうして構成された実施例の印刷装置２０の動作、特に画像のレイアウトを含む印刷範囲の編集の際の画像を拡大したり縮小する動作について説明する。図４は、メイン制御ユニット３２により実行される拡大縮小処理の一例を示すフローチャートである。この拡大縮小処理は、編集画面が表示され、テレビ受像器１２に表示された表示領域の画像の拡大縮小を指示する拡大ボタン９３ｂ，縮小ボタン９３ｃを操作する毎に実行される。
【００２５】
拡大縮小処理を説明する前に、説明の容易のために、実施例の印刷装置２０で印刷を実行する際の処理について簡単に説明する。実施例の印刷装置２０では、電源を投入すると、ＲＯＭ３４に予め記憶された図示しないメニュー画面がテレビ受像器１２に表示される。そのメニュー画面から「応用プリントモード」を選択すると、ＲＯＭ３４に予め記憶された図５に例示する応用プリントモードのメニュー画面１００がテレビ受像器１２に表示される。このメニュー画面１００は、処理段階を表示する処理表示領域１０２と、メニュー項目を表示するメニュー項目表示領域１０４と、ボタン操作のガイドを簡単に表示するガイド表示領域１０８により構成されている。メニュー項目表示領域１０４に表示されるメニュー項目としては、通常のテンプレートを用いて印刷を行なう「Ｌ判・アルバム・フレーム印刷」やＣＤ−ＲやＤＶＤ−Ｒに直接印刷を行なう「ＣＤ−Ｒ，ＤＶＤ−Ｒ印刷」，シール印刷や自由レイアウトによる印刷などを行なう「その他の印刷」などが用意されている。操作者は、リモコン９０の上ボタン９３ｉや下ボタン９３ｊを操作することによりフォーカスフレームを移動させ、ＯＫボタン９３ｆを操作することにより項目を選択することができる。
【００２６】
このように、メニュー画面１００で項目を選択すると、次の処理としての印刷設定処理に移行し、ＲＯＭ３４に予め記憶された図６に例示する印刷設定画面２００がテレビ受像器１２に表示される。この印刷設定画面２００もメニュー画面１００と同様に、処理表示領域２０２やメニュー項目表示領域２０４，ガイド表示領域２０８により構成されている。メニュー項目表示領域２０４を用いて設定する項目としては、用紙種類や用紙サイズ，レイアウトなどを挙げることができる。用紙種類や用紙サイズを変更するには、上ボタン９３ｉや下ボタン９３ｊによりフォーカスフレームを用紙種類や用紙サイズに合わせた状態で左ボタン９３ｇや右ボタン９３ｈを操作することによりトグル状に変わる内容から所望の内容を表示させることにより行なう。レイアウトの選択は、フォーカスフレームをレイアウトに合わせた状態で左ボタン９３ｇや右ボタン９３ｈを操作してフォーカスフレームを所望のテンプレートに合わせてＯＫボタン９３ｆを操作することにより行なう。この印刷設定画面２００では、メニュー項目表示領域２０４に表示する項目が多く、一画面では表示することができないため、フォーカスフレームを「レイアウト」から下に移動させることにより、ＲＯＭ３４に予め記憶された次の画面をテレビ受像器１２に表示出力して次の画面に移動させることができる。
【００２７】
こうして印刷設定を行なうと、次の処理としての写真選択処理に移行し、ＲＯＭ３４に予め記憶された図７に例示する写真選択画面３００がテレビ受像器１２に表示される。この写真選択画面３００は、メニュー画面１００や印刷設定画面２００の処理表示領域１０２，２０２と同様の処理表示領域３０２と、印刷イメージ３０５を表示する印刷イメージ表示領域３０４と、画像を一覧表示する画像表示領域３０６と、メニュー画面１００や印刷設定画面２００のガイド表示領域１０８，２０８と同様のガイド表示領域３０８とにより構成されている。操作者が、左ボタン９３ｇや右ボタン９３ｈ，上ボタン９３ｉ，下ボタン９３ｊを操作して画像表示領域３０６に一覧表示された画像（サムネイル）のうち所望の画像にフォーカスフレームを合わせ、その状態でＯＫボタン９３ｆを操作すると、フォーカスフレームにより選択した画像を印刷する画像として選択することができる。このとき、選択された画像は、表示用として所定のサイズにリサイズされてＳＤＲＡＭ３６の所定領域に書き込まれると共に選択された順にレイアウトで選択したテンプレートの左上の印刷枠から順に割り付けられ、リサイズされＳＤＲＡＭ３６の所定領域に書き込まれた画像がさらにリサイズされて印刷イメージ表示領域３０４に印刷イメージ３０５として表示される。図７の例では、図６の印刷設定画面２００のレイアウトから「自由レイアウトＡ４横」が選択された状態を示しており、この「自由レイアウトＡ４横」や「自由レイアウトＡ４縦」などが選択された状態で画像が選択されたときには、印刷範囲の中央に印刷枠が作成されて画像が割り付けられ、図８に例示する編集画面４００がテレビ受像器１２に表示出力される。編集画面４００は、印刷媒体の輪郭を示す印刷範囲４１０や印刷範囲４１０内の画像を表示する作業領域４０２と、ガイド表示領域４０８とにより構成されている。この編集画面４００では、左ボタン９３ｇ，右ボタン９３ｈ，上ボタン９３ｉ，下ボタン９３ｊを操作することにより、選択した画像の印刷枠をテレビ受像器１２の解像度を単位として上下左右に移動させることができる。また、拡大ボタン９３ｂや縮小ボタン９３ｃを操作することにより、選択した画像を拡大したり縮小したりすることができる。なお、戻るボタン９３ｅを操作すると、選択した画像の編集を終了して編集結果をもって図７の写真選択画面３００に戻り、次の画像の選択を受け付けるようになる。
【００２８】
図４の拡大縮小処理は、編集画面４００で拡大ボタン９３ｂや縮小ボタン９３ｃが操作されたときに実行される。この拡大縮小処理では、まず、編集画面４００においてフォーカスフレームが合わせられている画像の縦横サイズＬｈ，Ｌｖと印刷範囲４１０中における画像の中心位置（ｘ，ｙ）を入力し（ステップＳ１００）、ボタン操作が拡大ボタン９３ｂの操作か縮小ボタン９３ｃの操作かを判定する（ステップＳ１１０）。ここで、実施例では、印刷範囲４１０の左上隅の座標を（０，０）とし、この左上座標から右にドット単位での増加によりｘを増加するものとし、左上座標から下にドット単位での増加によりｙを増加するものとした。
【００２９】
ボタン操作が拡大ボタン９３ｂのときには、画像の横サイズＬｈに予め定めた横拡大サイズΔｈ（実施例では、４ドット）を加えたものと印刷範囲４１０の横サイズＳｈとのうち小さい方を新たな横サイズＬｈとして計算し（ステップＳ１２０）、横拡大サイズΔｈに画像の縦横比ρを乗じて縦拡大サイズΔｖを計算すると共に（ステップＳ１３０）、画像の縦サイズＬｖに計算した縦拡大サイズΔｖを加えたものと印刷範囲４１０の縦サイズＳｖとのうち小さい方を新たな縦サイズＬｖとして計算する（ステップＳ１４０）。そして、画像の横サイズＬｈと縦サイズＬｖとの比が元の画像の縦横比ρとなるよう調整する（ステップＳ１５０）。これにより、印刷範囲４１０の範囲内で画像の縦横比ρを損なうことなく画像の横サイズＬｈと縦サイズＬｖとを設定することができる。
【００３０】
続いて、設定した画像の横サイズＬｈと縦サイズＬｖと画像の中心位置（ｘ，ｙ）とにより拡大した画像を中心位置（ｘ，ｙ）として描画したときに拡大した画像が印刷範囲４１０からはみ出すか否かを判定すると共にはみ出す場合にははみ出し量を計算する（ステップＳ１７０）。このはみ出し量は、横方向については、左側へのはみ出し量は（ｘ−Ｌｈ／２）により負の値として計算され、右側へのはみ出し量は（ｘ＋Ｌｈ／２−Ｓｈ）により正の値として計算される。また、縦方向については、上側へのはみ出し量は（ｙ−Ｌｖ／２）により負の値として計算され、下側へのはみ出し量は（ｙ＋Ｌｖ／２−Ｓｖ）により正の値として計算される。
【００３１】
拡大した画像が印刷範囲４１０からはみ出さないと判定されたときには、中心位置（ｘ，ｙ）と縦サイズＬｈおよび縦サイズＬｖとを用いて画像枠を描画し（ステップＳ２４０）、この横サイズＬｈおよび縦サイズＬｖとなるよう画像を拡大または縮小して描画する（ステップＳ２５０）。一方、拡大した画像が印刷範囲４１０からはみ出すと判定されたときには、拡大した画像が印刷範囲４１０からはみ出さないようはみ出し量だけ中心位置（ｘ、ｙ）を変更し（ステップＳ１８０）、変更した中心位置（ｘ，ｙ）と縦サイズＬｈおよび縦サイズＬｖとを用いて画像枠を描画し（ステップＳ２４０）、この横サイズＬｈおよび縦サイズＬｖとなるよう画像を拡大または縮小して描画する（ステップＳ２５０）。画像枠の描画や拡大または縮小した画像の描画は、ビデオチップ４０を介してＶＲＡＭ４２に書き込むことにより行なうことができる。ＶＲＡＭ４２に画像枠や画像が描画されると、ビデオチップ４０はこのデータを読み込んでテレビ受像器１２に出力し、テレビ受像器１２に表示出力させる。拡大した画像が印刷範囲４１０からはみ出さないときの画像の拡大の様子の一例を図９に示し、拡大した画像が印刷範囲４１０からはみ出すために中心位置（ｘ，ｙ）を変更して画像を拡大するときの画像の拡大の様子の一例を図１０に示す。図中、破線は拡大ボタン９３ｂが押される毎に拡大される画像Ａの画像枠を示す。
【００３２】
そして、拡大ボタン９３ｂや縮小ボタン９３ｃが操作されているかを判定し（ステップＳ２６０）、拡大ボタン９３ｂも縮小ボタン９３ｃも操作されていないときには、拡大縮小処理を終了する。以上の処理により、拡大ボタン９３ｂを操作する毎にフォーカスフレームが合わせられている画像をその中心から横拡大サイズΔｈおよび縦拡大サイズΔｖずつ拡大して編集画面４００に表示することができる。しかも、拡大した画像が印刷範囲４１０からはみ出すときには、画像が印刷範囲４１０からはみ出さないよう画像の中心位置を変更するから、拡大に伴って画像が印刷範囲４１０からはみ出すことを抑制することができる。また、画像の拡大は印刷範囲４１０に収まる範囲で行なわれるから、画像を拡大しすぎることはない。
【００３３】
ステップＳ１１０で縮小ボタン９３ｃが操作されていると判定されたときには、フォーカスフレームを合わせている画像のサイズが最小サイズであるか否かを判定し（ステップＳ１９０）、最小サイズのときには画像を縮小することなく拡大縮小処理を終了する。フォーカスフレームを合わせている画像のサイズが最小サイズではないときには、画像の横サイズＬｈに予め定めた横縮小サイズΔｈ（実施例では、４ドット）を減じたものと最小サイズの横サイズＳｈｍｉｎとのうち大きい方を新たな横サイズＬｈとして計算し（ステップＳ２００）、横縮小サイズΔｈに画像の縦横比ρを乗じて縦縮小サイズΔｖを計算すると共に（ステップＳ２１０）、画像の縦サイズＬｖに計算した縦縮小サイズΔｖを減じたものと最小サイズの縦サイズＳｖｍｉｎとのうち大きい方を新たな縦サイズＬｖとして計算する（ステップＳ２２０）。そして、画像の横サイズＬｈと縦サイズＬｖとの比が元の画像の縦横比ρとなるよう調整する（ステップＳ２３０）。これにより、画像の縦横比ρを損なうことなく縮小した画像の横サイズＬｈと縦サイズＬｖとを設定することができる。そして、中心位置（ｘ，ｙ）と縦サイズＬｈおよび縦サイズＬｖとを用いて画像枠を描画し（ステップＳ２４０）、この横サイズＬｈおよび縦サイズＬｖとなるよう画像を拡大または縮小して描画し（ステップＳ２５０）、拡大ボタン９３ｂや縮小ボタン９３ｃが操作されているかを判定し（ステップＳ２６０）、拡大ボタン９３ｂも縮小ボタン９３ｃも操作されていないときには、拡大縮小処理を終了する。以上の処理により、縮小ボタン９３ｃを操作する毎にフォーカスフレームが合わせられている画像をその中心から横縮小サイズΔｈおよび縦縮小サイズΔｖずつ縮小して編集画面４００に表示することができる。
【００３４】
ステップＳ２６０で拡大ボタン９３ｂや縮小ボタン９３ｃが操作されていると判定されると、拡大または縮小した画像を描画してから所定時間経過したか否かを判定する（ステップＳ２７０）。ここで、所定時間は、拡大ボタン９３ｂや縮小ボタン９３ｃを操作し続けたときに拡大または縮小した画像を描画する頻度を設定するものであり、実施例では、１秒間に４回の割合で拡大や縮小が行なわれるよう０．２５秒とした。この所定時間は、横拡大サイズΔｈや横縮小サイズΔｈが大きいほど長い時間に設定され、横拡大サイズΔｈや横縮小サイズΔｈが小さいほど短い時間に設定される。即ち、横拡大サイズΔｈおよび横縮小サイズΔｈと所定時間とを適当に設定することにより、適正な単位時間当たりの画像の拡大速度や縮小速度を設定することができるのである。連続して所定時間経過するまで拡大ボタン９３ｂや縮小ボタン９３ｃが操作されると、所定時間経過したときにステップＳ１１０に戻って拡大の処理（ステップＳ１２０〜Ｓ１８０，Ｓ２４０，Ｓ２５０）や縮小の処理（ステップＳ２００〜Ｓ２５０）が実行され、フォーカスフレームを合わせている画像の拡大や縮小を行なうことができる。これにより、拡大ボタン９３ｂや縮小ボタン９３ｃを連続して操作し続けることにより、横拡大サイズΔｈおよび横縮小サイズΔｈと所定時間とにより設定された単位時間当たりの画像の拡大速度や縮小速度をもって段階的に連続して画像を拡大したり縮小することができる。なお、所定時間経過する前に拡大ボタン９３ｂや縮小ボタン９３ｃの操作がなされなくなると、連続しての拡大や縮小は不要と判断し、拡大縮小処理を終了する。これにより、所望の拡大縮小の程度でそれ以上の拡大や縮小を中止することができる。
【００３５】
以上説明した実施例の印刷装置２０によれば、リモコン９０の拡大ボタン９３ｂを操作する毎にフォーカスフレームを合わせている画像をその中心から横拡大サイズΔｈおよび縦拡大サイズΔｖずつ拡大して編集画面４００に表示することができる。したがって、画像の大きさを確認しながら画像を拡大することができる。この結果、画像を迅速に所望の大きさに拡大することができる。しかも、拡大した画像が印刷範囲４１０からはみ出すときには、画像が印刷範囲４１０からはみ出さないよう画像の中心位置を変更するから、拡大に伴って画像が印刷範囲４１０からはみ出すことを抑制することができる。また、画像の拡大は印刷範囲４１０に収まる範囲で行なわれるから、画像を拡大しすぎることはない。
【００３６】
また、実施例の印刷装置２０によれば、リモコン９０の縮小ボタン９３ｃを操作する毎にフォーカスフレームを合わせている画像をその中心から横縮小サイズΔｈおよび縦縮小サイズΔｖずつ縮小して編集画面４００に表示することができる。したがって、画像の大きさを確認しながら画像を縮小することができる。この結果、画像を迅速に所望の大きさに縮小することができる。
【００３７】
さらに、実施例の印刷装置２０によれば、リモコン９０の拡大ボタン９３ｂや縮小ボタン９３ｃを連続して操作し続けることにより、横拡大サイズΔｈおよび横縮小サイズΔｈと所定時間とにより設定された単位時間当たりの画像の拡大速度や縮小速度をもって段階的に連続して画像を拡大したり縮小することができる。
【００３８】
実施例の印刷装置２０では、ビデオチップ４０とＶＲＡＭ４２とが表示用データ出力手段に相当し、ＳＤＲＡＭ３６が画像記憶手段に相当し、編集画面４００の表示制御を行なうメイン制御ユニット３２が選択画像表示手段に相当し、受光部２６を備える操作パネル２５やカード操作部制御ユニット３８，メイン制御ユニット３２が拡大縮小指示入力手段に相当し、拡大縮小処理を実行するメイン制御ユニット３２が拡大縮小画像表示手段に相当する。
【００３９】
実施例の印刷装置２０では、拡大した画像が印刷範囲４１０からはみ出すときには、画像が印刷範囲４１０からはみ出さないよう画像の中心位置（ｘ，ｙ）を変更するものとしたが、画像の左上位置を変更したり、右下位置を変更するものとしてもよい。また、画像の中心位置を変更することなく拡大した画像を印刷範囲４１０からはみ出した状態で表示するものとしても構わない。
【００４０】
実施例の印刷装置２０では、リモコン９０の拡大ボタン９３ｂや縮小ボタン９３ｃを連続して操作し続けることにより、横拡大サイズΔｈおよび横縮小サイズΔｈと所定時間とにより設定された単位時間当たりの画像の拡大速度や縮小速度をもって段階的に連続して画像を拡大したり縮小するものとしたが、リモコン９０の拡大ボタン９３ｂや縮小ボタン９３ｃを連続して操作し続けても段階的に連続して画像を拡大したり縮小したりしないものとしてもよい。
【００４１】
実施例の印刷装置２０では、印刷範囲４１０に収まる範囲で画像を拡大するものとしたが、印刷範囲４１０より大きくなるまで拡大を許容するものとしてもよい。また、実施例の印刷装置２０では、最小サイズまでで縮小を制限するものとしたが、縮小の制限を行なわないものとしてもよい。
【００４２】
実施例の印刷装置２０では、印刷装置本体２２の外形を高さが２０ｃｍ以下で幅が６０ｃｍ以下で奥行きが６０ｃｍ以下としたが、こうした外形に限定されるものではなく、如何なる形状をしていても構わない。
【００４３】
実施例の印刷装置２０では、側面の一方を正面２３とし、正面２３からインクカートリッジの着脱を行なったり、給排紙するものとしたが、インクカートリッジの着脱を他の部位から行なうものとしたり、給排紙を他の部位から行なうものとしても差し支えない。
【００４４】
実施例の印刷装置２０では、ビデオチップ４０からの表示出力の出力先としてケーブル１４を介して接続されたテレビ受像器１２としたが、他の如何なる表示機器を表示出力の出力先としても構わない。
【００４５】
実施例では、画像を拡大したり縮小したりして表示装置に表示する表示データ出力装置を印刷装置２０が備えるものとして説明したが、印刷装置以外の装置にこうした表示データ出力装置を組み込むものとしても差し支えない。また、実施例では、表示データ出力装置を組み込んだ印刷装置２０として説明したが、表示データ出力装置を組み込んだ印刷装置の制御方法や表示データ出力装置の制御方法の形態としてもよい。
【００４６】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４７】
本発明は、表示機器製造産業や印刷装置製造産業に利用可能である。
【図面の簡単な説明】
【００４８】
【図１】印刷システム１０の構成の概略を示す構成図。
【図２】メイン基板３０を中心とするブロック図。
【図３】リモコン９０の一例の外観図。
【図４】拡大縮小処理の一例を示すフローチャート。
【図５】メニュー画面１００の一例を示す説明図。
【図６】印刷設定画面２００の一例を示す説明図。
【図７】写真選択画面３００の一例を示す説明図。
【図８】編集画面４００の一例を示す説明図。
【図９】画像の拡大の様子の一例を示す説明図。
【図１０】画像の拡大の様子の一例を示す説明図。
【符号の説明】
【００４９】
１０  印刷システム、１２  テレビ受像器、１４  ケーブル、１５  ＰＣカード、１６  ＰＣ、１７  周辺機器、１９  電源、２０  印刷装置、２２  印刷装置本体、２３  正面、２４  カバー、２５  操作パネル、２６  受光部、２７  カードスロット、３０  メイン基板、３２  メイン制御ユニット、３４  ＲＯＭ、３６  ＳＤＲＡＭ、３８  カード操作部制御ユニット、４０  ビデオチップ、４２  ＶＲＡＭ、４４  モータドライバ、４６  ヘッド用ＤＡＣ、４８  ホスト用ＵＳＢコネクタ、５０  デバイス用ＵＳＢコネクタ、６０  キャリッジモータ、６１  ＰＦモータ、６２  ポンプモータ、６３  印刷ヘッド、６４  ＣＲエンコーダ、６５  ＰＦエンコーダ、６６  ＤＶＤトレー検出センサ、６７  用紙検出センサ、６８  用紙トレー検出センサ、６９  カバーオープンセンサ、９０  リモコン、９１  発光制御部、９２  発光部、９３ａ  電源ボタン、９３ｂ  拡大ボタン、９３ｃ  縮小ボタン、９３ｄ  メニューボタン、９３ｅ  戻るボタン、９３ｆ  ＯＫボタン、９３ｇ  左ボタン、９３ｈ  右ボタン、９３ｉ  上ボタン、９３ｊ  下ボタン、９３ｋ  処理戻しボタン、９３ｌ  処理進めボタン、９３ｍ  枚数増加ボタン、９３ｎ  枚数減少ボタン、９３ｏ  印刷開始ボタン、９３ｐ  印刷中止ボタン、９３ｑ〜９３ｔ  ボタン、１００  メニュー画面、１０２，２０２，３０２  処理表示領域、１０４，２０４  メニュー項目表示領域、１０８，２０８，３０８，４０８  ガイド表示領域、２００  印刷設定画面、３００  写真選択画面、３０４  印刷イメージ表示領域、３０５  印刷イメージ、３０６  画像表示領域、４００  編集画面、４０２  作業領域、４１０  印刷範囲。
【図１】
2005251104.tif 000003
【図２】
2005251104.tif 000004
【図３】
2005251104.tif 000005
【図４】
2005251104.tif 000006
【図５】
2005251104.tif 000007
【図６】
2005251104.tif 000008
【図７】
2005251104.tif 000009
【図８】
2005251104.tif 000010
【図９】
2005251104.tif 000011
【図１０】
2005251104.tif 000012